(57)【要約】【課題】  超広角、高解像度、小型軽量、かつ、低コストのいずれにも対応可能な広角レンズ、およびこの広角レンズを構成するのに適した接合レンズを提供すること。【解決手段】  広角レンズ１０において、レンズ１１はガラスレンズであるが、レンズ１２、１３、１４はプラスチックレンズである。接合レンズ１５は２枚のプラスチックレンズ１５ａ、１５ｂを貼り合わせた接合レンズであって、以下の条件式  ｜Ｒ｜＜φ／２、｜１／(ｆ１×ν１)  ＋  １／(ｆ２×ν２)｜≦０．０１  Ｒ：接合面の中心曲率半径、φ：接合面の光線有効径、ｆ１：レンズ１５ａの焦点距離、ｆ２：レンズ１５ｂの焦点距離、ν１：レンズ１５ａのＡｂｂｅ数、ν２：レンズ１５ｂのＡｂｂｅ数の双方を満たしている。【選択図】    図１
2006284620.tif 000002
【特許請求の範囲】
【請求項１】
水平画角が１３０°以上であって、
プラスチックレンズ同士を接合した接合レンズを含み、
当該接合レンズにおける前記プラスチックレンズの接合面が双方、非球面であって、かつ、下式
｜Ｒ｜＜φ／２
Ｒ：接合面の中心曲率半径
φ：接合面の光線有効径
を満たしていることを特徴とする広角レンズ。
【請求項２】
水平画角が１３０°以上であって、
プラスチックレンズ同士を接合した接合レンズを含み、
当該接合レンズにおける前記プラスチックレンズの接合面が双方、非球面であって、かつ、下式
｜１／(ｆ１×ν１)  ＋  １／(ｆ２×ν２)｜≦０．０１
ｆ１：接合レンズにおける物体側のレンズの焦点距離
ｆ２：接合レンズにおける像側のレンズの焦点距離
ν１：接合レンズにおける物体側のレンズのＡｂｂｅ数
ν２：接合レンズにおける像側のレンズのＡｂｂｅ数
を満たしていることを特徴とする広角レンズ。
【請求項３】
請求項２において、さらに、下式
｜Ｒ｜＜φ／２
Ｒ：接合面の中心曲率半径
φ：接合面の光線有効径
を満たしていることを特徴とする広角レンズ。
【請求項４】
請求項１ないし３のいずれかにおいて、含まれるレンズの全てがプラスチックレンズであることを特徴とする広角レンズ。
【請求項５】
請求項１ないし３のいずれかにおいて、含まれるレンズのうち、第１群のみがガラスレンズであり、他のレンズが全てプラスチックレンズであることを特徴とする広角レンズ。
【請求項６】
プラスチックレンズ同士が接合され、
当該プラスチックレンズの接合面が双方、非球面であって、かつ、下式
｜Ｒ｜＜φ／２
Ｒ：接合面の中心曲率半径
φ：接合面の光線有効径
を満たしていることを特徴とする接合レンズ。
【請求項７】
プラスチックレンズ同士が接合され、
当該プラスチックレンズの接合面が双方、非球面であって、かつ、下式
｜１／(ｆ１×ν１)  ＋  １／(ｆ２×ν２)｜≦０．０１
ｆ１：物体側のレンズの焦点距離
ｆ２：像側のレンズの焦点距離
ν１：物体側のレンズのＡｂｂｅ数
ν２：像側のレンズのＡｂｂｅ数
を満たしていることを特徴とする接合レンズ。
【請求項８】
請求項７において、さらに、下式
｜Ｒ｜＜φ／２
Ｒ：接合面の中心曲率半径
φ：接合面の光線有効径
を満たしていることを特徴とする接合レンズ。
【発明の詳細な説明】
【技術分野】
【０００１】
本発明は、画角が１３０°以上の超広角の広角レンズ、およびこの広角レンズに用いられる接合レンズに関するものである。
【背景技術】
【０００２】
最近の監視用途や車載用途で使用されるレンズは、超広角、解像度の高いものが要求されている。ここで、高解像にするには倍率色収差を補正する必要があるため、従来は、ガラスレンズ同士を接合した接合レンズや、硝材の異なる複数枚のガラスレンズを組み合わせて色収差補正をしている（例えば、特許文献１参照）。
【特許文献１】特開平９−１１３７９９号公報
【発明の開示】
【発明が解決しようとする課題】
【０００３】
しかしながら、前記の用途で使用されるレンズには、小型軽量かつ低コストなものが要求されており、上記特許文献に開示のレンズでは対応できない。このような問題点は、プラスチックレンズを使用することにより解消できるが、画角が１３０°以上の超広角のレンズとなると、プラスチックレンズの材料による組合せで色収差を補正しようにも、プラスチックレンズの材料がガラスに比べ少ないため、倍率色収差を補正しきれない。その結果、他の収差が補正できても解像度を高めることができず、その結果、色収差を取るために複数枚のガラスレンズを使用せざるを得ず、小型軽量化、低コスト化を図れないという問題点がある。
【０００４】
以上の問題点に鑑みて、本発明の課題は、超広角、高解像度、小型軽量、かつ、低コストのいずれにも対応可能な広角レンズ、およびこの広角レンズを構成するのに適した接合レンズを提供することにある。
【課題を解決するための手段】
【０００５】
上記の課題を解決するために、本発明の広角レンズでは、水平画角が１３０°以上であって、プラスチックレンズ同士を接合した接合レンズを含み、当該接合レンズにおける前記プラスチックレンズの接合面が双方、非球面であって、かつ、下式
｜Ｒ｜＜φ／２  ・・式（１）
Ｒ：接合面の中心曲率半径
φ：接合面の光線有効径
を満たしていることを特徴とする。
【０００６】
本発明に係る広角レンズおよび接合レンズでは、プラスチックレンズ同士を接合しているので、接合面にも非球面を使用できるので、少ない枚数での諸収差の補正が可能であり、色収差を補正できるので、プラスチックレンズを多用しても高解像に対応できる。従って、プラスチックレンズを多用できる分、軽量小型化および低コスト化を図ることができる。
【０００７】
本発明の別の形態に係る広角レンズにおいては、水平画角が１３０°以上であって、プラスチックレンズ同士を接合した接合レンズを含み、当該接合レンズにおける前記プラスチックレンズの接合面が双方、非球面であって、かつ、下式
｜１／(ｆ１×ν１)  ＋  １／(ｆ２×ν２)｜≦０．０１・・式（２）
ｆ１：接合レンズにおける物体側のレンズの焦点距離
ｆ２：接合レンズにおける像側のレンズの焦点距離
ν１：接合レンズにおける物体側のレンズのＡｂｂｅ数
ν２：接合レンズにおける像側のレンズのＡｂｂｅ数
を満たしていることを特徴とする。
【０００８】
本発明に係る広角レンズおよび接合レンズでは、プラスチックレンズ同士を接合しているので、接合面にも非球面を使用できるので、少ない枚数での諸収差の補正が可能であり、色収差を補正できるので、プラスチックレンズを多用しても高解像に対応できる。従って、プラスチックレンズを多用できる分、軽量小型化および低コスト化を図ることができる。
【０００９】
また、本発明では、上式１、２の双方を満たしていることが好ましい。
【００１０】
本発明においては、含まれるレンズの全てがプラスチックレンズであることが好ましい。本発明において、含まれるレンズのうち、第１群のみがガラスレンズであり、他のレンズが全てプラスチックレンズである構成を採用してもよい。
【００１１】
本発明に係る接合レンズは、上記広角レンズ以外にも使用することができる。
【発明の効果】
【００１２】
本発明に係る広角レンズおよび接合レンズでは、接合面にも非球面を使用できるので、少ない枚数での諸収差の補正が可能であり、色収差を補正できるので、プラスチックレンズを多用しても高解像に対応できる。従って、プラスチックレンズを多用できる分、軽量小型化および低コスト化を図ることができる。
【発明を実施するための最良の形態】
【００１３】
図面を参照して、本発明を適用した広角レンズおよび接合レンズを説明する。
【００１４】
［実施の形態１］
図１（ａ）、（ｂ）、（ｃ）、（ｄ）はそれぞれ、本発明の実施の形態１に係る広角レンズの説明図、この広角レンズの球面収差を示す収差図、この広角レンズの非点収差および歪曲収差を示す収差図、倍率色収差を示す収差図である。なお、図１（ａ）には、レンズデータおよび非球面係数に対応する面ナンバーを括弧内に示してある。
【００１５】
図１（ａ）に示すように、本形態の広角レンズ１０は、物体側から順に負のパワーを持つメニスカス単レンズ１１からなる第１群と、負のパワーを持つ単レンズ１２からなる第２群と、正のパワーを持つ単レンズ１３からなる第３群と、正のパワーを持つ単レンズ１４からなる第４群と、接合レンズ１５からなる第５群とから構成されている。
【００１６】
メニスカス単レンズ１１（第１群）はガラスレンズであるが、単レンズ１２（第２群）、および単レンズ１３（第３群）、および単レンズ１４（第４群）はいずれも、プラスチックレンズである。
【００１７】
接合レンズ１５（第５群）は、負のパワーを持つプラスチックレンズ１５ａと正のパワーを持つプラスチックレンズ１５ｂを貼り合わせた接合レンズであり、接合面が双方、非球面であって、かつ、以下の条件式
｜Ｒ｜＜φ／２  ・・式（１）
Ｒ：接合面の中心曲率半径
φ：接合面の光線有効径
｜１／(ｆ１×ν１)  ＋  １／(ｆ２×ν２)｜≦０．０１・・式（２）
ｆ１：接合レンズにおける物体側のレンズ１５ａの焦点距離
ｆ２：接合レンズにおける像側のレンズ１５ｂの焦点距離
ν１：接合レンズにおける物体側のレンズ１５ａのＡｂｂｅ数
ν２：接合レンズにおける像側のレンズ１５ｂのＡｂｂｅ数
の双方を満たしている。
【００１８】
本形態では、Ｒ＝０．４８４であり、φ＝１．７８であり、ｆ１＝−３０．５２９であり、ｆ２＝２．８９５であり、ν１＝２９．９であり、ν２＝５５．８である。従って、本形態は、上記の条件式（１）（２）の双方を満たしている。
【００１９】
このように構成した広角レンズ１０において、焦点距離１．２ｍｍ、Ｆナンバー２．８、水平画角１８０°の時のレンズデータおよび非球面係数は各々、表１および表２に示す通りであり、そのときの収差図は、図１（ｂ）、（ｃ）、（ｄ）に示す通りである。なお、非球面係数は、下記の非球面関数
Ｘ＝ＡＹ2／〔１＋√｛１−（Ｂ＋１）Ａ2Ｙ2｝〕＋ＣＹ4＋ＤＹ6＋ＥＹ8＋ＦＹ10
Ａ＝１／Ｒ
における各係数に相当する。図１（ｃ）において、歪曲収差はｆθ特性で示してある。また、表１において、「ＢＫ７」はＢＫ７ガラスを示し、「ＰＣ」はポリカーボネートを示し、「ＺＥＯＮＥＸ  Ｅ４８Ｒ」は、日本ゼオン株式会社製のシクロオレフィンポリマーの商標名である。
【００２０】
【表１】
2006284620.tif 000003
【００２１】
【表２】
2006284620.tif 000004
【００２２】
図１（ｂ）、（ｃ）、（ｄ）に示すように、本形態の広角レンズ１０では、接合レンズ１５の接合面に非球面を使用できるので、少ない枚数で、倍率色収差などの諸収差の補正が可能である。特に、色収差を補正できるので、プラスチックレンズを多用しても高解像に対応できる。それ故、本形態の広角レンズ１０によれば、プラスチックレンズを多用できる分、軽量小型化および低コスト化を図ることができる。
【００２３】
［実施の形態２］
図２（ａ）、（ｂ）、（ｃ）、（ｄ）はそれぞれ、本発明の実施の形態２に係る広角レンズの説明図、この広角レンズの球面収差を示す収差図、この広角レンズの非点収差および歪曲収差を示す収差図、倍率色収差を示す収差図である。なお、図２（ａ）には、レンズデータおよび非球面係数に対応する面ナンバーを括弧内に示してある。
【００２４】
図２（ａ）に示すように、本形態の広角レンズ２０は、物体側から順に負のパワーを持つメニスカス単レンズ２１からなる第１群と、負のパワーを持つ単レンズ２２からなる第２群と、正のパワーを持つ単レンズ２３からなる第３群と、接合レンズ２４からなる第４群とから構成されている。
【００２５】
メニスカス単レンズ２１（第１群）、単レンズ２２（第２群）、および単レンズ２３（第３群）はいずれもプラスチックレンズである。
【００２６】
接合レンズ２４（第４群）は、負のパワーを持つプラスチックレンズ２４ａと正のパワーを持つプラスチックレンズ２４ｂとを貼り合わせた接合レンズであり、接合面が双方、非球面であって、かつ、上記の条件式（１）（２）の双方を満たしている。
【００２７】
本形態では、Ｒ＝０．６０２であり、φ＝２．０４であり、ｆ１＝−１４０.０３８であり、ｆ２＝２．８５９であり、ν１＝２９．９であり、ν２＝５５．８である。従って、本形態は、上記の条件式（１）（２）の双方を満たしている。
【００２８】
このように構成した広角レンズ２０において、焦点距離１．４ｍｍ、Ｆナンバー２．８、水平画角１３０°の時のレンズデータおよび非球面係数は各々、表３および表４に示す通りであり、そのときの収差図は、図２（ｂ）、（ｃ）、（ｄ）に示す通りである。
【００２９】
【表３】
2006284620.tif 000005
【００３０】
【表４】
2006284620.tif 000006
【００３１】
図２（ｂ）、（ｃ）、（ｄ）に示すように、本形態の広角レンズ２０では、全てのレンズがプラスチックレンズであるが、接合レンズ２４の接合面に非球面を使用できるので、少ない枚数で、倍率色収差などの諸収差の補正が可能である。特に、色収差を補正できるので、全てをプラスチックレンズとしても高解像に対応できる。それ故、本形態の広角レンズ２０によれば、プラスチックレンズを多用できる分、軽量小型化および低コスト化を図ることができる。
【００３２】
［実施の形態３］
図３（ａ）、（ｂ）、（ｃ）、（ｄ）はそれぞれ、本発明の実施の形態３に係る広角レンズの説明図、この広角レンズの球面収差を示す収差図、この広角レンズの非点収差および歪曲収差を示す収差図、倍率色収差を示す収差図である。なお、図３（ａ）には、レンズデータおよび非球面係数に対応する面ナンバーを括弧内に示してある。
【００３３】
図３（ａ）に示すように、本形態の広角レンズ３０は、物体側から順に負のパワーを持つメニスカス単レンズ３１からなる第１群と、負のパワーを持つ単レンズ３２からなる第２群と、正のパワーを持つ単レンズ３３からなる第３群と、接合レンズ３４からなる第４群とから構成されている。
【００３４】
メニスカス単レンズ３１（第１群）、単レンズ３２（第２群）、および単レンズ３３（第３群）はいずれもプラスチックレンズである。
【００３５】
接合レンズ３４（第４群）は、負のパワーを持つプラスチックレンズ３４ａと正のパワーを持つプラスチックレンズ３４ｂとを貼り合わせた接合レンズであり、接合面が双方、非球面であって、かつ、上記の条件式（１）（２）の双方を満たしている。
【００３６】
本形態では、Ｒ＝０．４２０であり、φ＝２．３２であり、ｆ１＝−８５．６３５であり、ｆ２＝４．２２４であり、ν１＝２９．９であり、ν２＝５５．８である。従って、本形態は、上記の条件式（１）（２）の双方を満たしている。
【００３７】
このように構成した広角レンズ３０において、焦点距離１．３ｍｍ、Ｆナンバー２．８、水平画角１８０°の時のレンズデータおよび非球面係数は各々、表５および表６に示す通りであり、そのときの収差図は、図３（ｂ）、（ｃ）、（ｄ）に示す通りである。
【００３８】
【表５】
2006284620.tif 000007
【００３９】
【表６】
2006284620.tif 000008
【００４０】
図３（ｂ）、（ｃ）、（ｄ）に示すように、本形態の広角レンズ３０では、全てのレンズがプラスチックレンズであるが、接合レンズ３４の接合面に非球面を使用できるので、少ない枚数で、倍率色収差などの諸収差の補正が可能である。特に、色収差を補正できるので、全てをプラスチックレンズとしても高解像に対応できる。それ故、本形態の広角レンズ３０によれば、プラスチックレンズを多用できる分、軽量小型化および低コスト化を図ることができる。
【００４１】
［実施の形態４］
図４（ａ）、（ｂ）、（ｃ）、（ｄ）はそれぞれ、本発明の実施の形態４に係る広角レンズの説明図、この広角レンズの球面収差を示す収差図、この広角レンズの非点収差および歪曲収差を示す収差図、倍率色収差を示す収差図である。なお、図４（ａ）には、レンズデータおよび非球面係数に対応する面ナンバーを括弧内に示してある。
【００４２】
図４（ａ）に示すように、本形態の広角レンズ４０は、物体側から順に負のパワーを持つメニスカス単レンズ４１からなる第１群と、負のパワーを持つ単レンズ４２からなる第２群と、正のパワーを持つ単レンズ４３からなる第３群と、接合レンズ４４からなる第４群とから構成されている。
【００４３】
メニスカス単レンズ４１（第１群）は、ガラスレンズであるが、単レンズ４２（第２群）、および単レンズ４３（第３群）はいずれもプラスチックレンズである。
【００４４】
接合レンズ４４（第４群）は、正のパワーを持つプラスチックレンズ４４ａと正のパワーを持つプラスチックレンズ４４ｂとを貼り合わせた接合レンズであり、接合面が双方、非球面であって、かつ、上記の条件式（１）（２）の双方を満たしている。
【００４５】
本形態では、Ｒ＝０．４００であり、φ＝２．２３であり、ｆ１＝１４．９７であり、ｆ２＝３．４２５であり、ν１＝２９．９であり、ν２＝５５．８である。従って、本形態は、上記の条件式（１）（２）の双方を満たしている。
【００４６】
このように構成した広角レンズ４０において、焦点距離１．５６ｍｍ、Ｆナンバー２．８、水平画角１３０°の時のレンズデータおよび非球面係数は各々、表７および表８に示す通りであり、そのときの収差図は、図４（ｂ）、（ｃ）、（ｄ）に示す通りである。
【００４７】
【表７】
2006284620.tif 000009
【００４８】
【表８】
2006284620.tif 000010
【００４９】
図４（ｂ）、（ｃ）、（ｄ）に示すように、本形態の広角レンズ４０では、接合レンズ４４の接合面に非球面を使用できるので、少ない枚数で、倍率色収差などの諸収差の補正が可能である。特に、色収差を補正できるので、プラスチックレンズを多用しても高解像に対応できる。それ故、本形態の広角レンズ４０によれば、プラスチックレンズを多用できる分、軽量小型化および低コスト化を図ることができる。
【図面の簡単な説明】
【００５０】
【図１】（ａ）、（ｂ）、（ｃ）、（ｄ）はそれぞれ、本発明の実施の形態１に係る広角レンズの説明図、この広角レンズの球面収差を示す収差図、この広角レンズの非点収差および歪曲収差を示す収差図、倍率色収差を示す収差図である。
【図２】（ａ）、（ｂ）、（ｃ）、（ｄ）はそれぞれ、本発明の実施の形態２に係る広角レンズの説明図、この広角レンズの球面収差を示す収差図、この広角レンズの非点収差および歪曲収差を示す収差図、倍率色収差を示す収差図である。
【図３】（ａ）、（ｂ）、（ｃ）、（ｄ）はそれぞれ、本発明の実施の形態３に係る広角レンズの説明図、この広角レンズの球面収差を示す収差図、この広角レンズの非点収差および歪曲収差を示す収差図、倍率色収差を示す収差図である。
【図４】（ａ）、（ｂ）、（ｃ）、（ｄ）はそれぞれ、本発明の実施の形態４に係る広角レンズの説明図、この広角レンズの球面収差を示す収差図、この広角レンズの非点収差および歪曲収差を示す収差図、倍率色収差を示す収差図である。
【符号の説明】
【００５１】
１０、２０、３０、４０  広角レンズ
１５、２４、３４、４４  接合レンズ
【図１】
2006284620.tif 000011
【図２】
2006284620.tif 000012
【図３】
2006284620.tif 000013
【図４】
2006284620.tif 000014